(57)【要約】【課題】ＮＧＨによるガス供給モデルを構築し、天然ガスの普及促進を図る。【解決手段】ガスハイドレート供給システムである。中央制御監視センタ１は、ＮＧＨの貯槽又は製造設備２、顧客網３及び配送業者網４と夫々オンラインで接続し、ＮＧＨの貯蔵又は製造状況、顧客のＮＧＨ需要状況及び配送業者の空車状況を把握する。更に、顧客の要望に対して効率的に配送し得る配送ルート等を演算し、その演算結果をＮＧＨの貯槽又は製造プラント２、顧客及び配送業者にオンラインで連絡する。その上、ＮＧＨの貯槽又は製造プラント２及び配送業者は、中央制御監視センタ１の指示に従って注文のＢＧＨを顧客に配送する。【選択図】        図１
2005242415.tif 000002
【特許請求の範囲】
【請求項１】
ガスハイドレートの貯槽又は製造プラントと、顧客網と、配送業者網と、中央制御監視センタとを備えたガスハイドレート供給システムであって、
（ａ）前記中央制御監視センタは、前記ガスハイドレートの貯槽又は製造プラントとオンラインで接続してガスハイドレートの貯蔵又は製造状況を把握すると共に、前記顧客網とオンラインで接続して顧客のガスハイドレート需要状況を把握し、更に、前記配送業者網とオンラインで接続して配送業者の空車状況を把握し、
その上、顧客の要望に対して最も効率的で、かつ、円滑に配送し得る配送ルート等を演算し、その演算結果をガスハイドレートの貯槽又は製造プラント、顧客および配送業者にオンラインで連絡し、
（ｂ）前記ガスハイドレートの貯槽又は製造プラントおよび配送業者は、前記中央制御監視センタの指示に従って注文通りのガスハイドレートを顧客に配送することを特徴とするガスハイドレート供給システム。
【請求項２】
ガスハイドレート製造が需要に追いつかず、供給不可の場合には、別のガスハイドレート製造プラントへアクセスし、供給可能日時を顧客へ通知する請求項１記載のガスハイドレート供給システム。
【請求項３】
配送業者の空車状況を中央制御監視センタにリアルタイムで取り込み、常時、配送業者の空車状況を把握する請求項１記載のガスハイドレート供給システム。    
【請求項４】
中央制御監視センタにて、配送業者の空車状況を確認し、空車有りの場合は、配送車をスケジュールに登録し、空車無しの場合は、別の配送業者へアクセスする請求項１記載のガスハイドレート供給システム。
【請求項５】
ガスハイドレートの再ガス化時に生ずる生成水の余剰量を、顧客の端末機により中央制御監視センタに入力する請求項１記載のガスハイドレート供給システム。
【発明の詳細な説明】
【技術分野】
【０００１】
本発明は、原料ガス（天然ガス）と水との水和物であるガスハイドレートを顧客に供給するガスハイドレート供給システムに関するものである。
【背景技術】
【０００２】
天然ガスの輸送方法としては、近年注目されているガスハイドレートによる輸送方法が注目されている。天然ガスハイドレート（以下、ＮＧＨと称する。）は、水と天然ガスが所定の圧力および温度で水和物を形成する固体物である。
【０００３】
他方、ＬＮＧ（液化天然ガス）は、天然ガスを超低温、すなわち、−１６２℃で液化させたものであるから、その生成には過大なエネルギーおよび設備投資が必要であり、ガス田も大規模なガス田が対象となっている。
【０００４】
ＮＧＨは、−２０℃程度で自己保存効果により常圧での貯蔵および輸送が可能であるため、ガス導管が敷設されていない辺鄙な地域へ輸送する場合には、トラックなどによる車両輸送が可能である（例えば、特許文献１参照。）。
【０００５】
したがって、高価なガス導管を敷設する必要がないため、天然ガスの普及促進に大いに寄与するであろうと思われる。
【０００６】
ＬＮＧをタンクローリーで輸送する方法は、既に一部で行われているが、ＬＮＧを超低温で輸送するため、特殊な輸送容器が必要となり、輸送容器自体が高価なものになる。また、保安上も極めて厳しい管理が必要であるため、天然ガスに普及促進の障害となっていることも事実である。
【特許文献１】特開２０００−３０４１９６号公報（第２−３頁、図１）
【発明の開示】
【発明が解決しようとする課題】
【０００７】
本発明は、このような背景に基づいてなされたものであり、ＮＧＨによるガス供給モデルを構築して天然ガスの普及促進を図ることにある。
【０００８】
ＮＧＨの原料としては、ガス事業者、あるいは、電力事業者のＬＮＧ受入れ基地のＬＮＧを再ガス化した天然ガス、或いは、ＬＮＧ貯蔵タンク内のボイルオフガス（ＢＯＧ）のどちらでもよい。ＬＮＧ受入れ基地で製造されたＮＧＨをガス導管の敷設されていない辺鄙な地域にトレーラなどのトラックを用いて輸送する。
【０００９】
現状では、既に説明したＬＮＧローリー、あるいは、タンクローリー車のみの局所的な輸送手段しかないので、広域的には過大な資本投下が必要となり、天然ガス供給エリアが限定される。
【００１０】
従来の方法に対し、ガスハイドレート供給システムの経済性を有利にするには、多数の中小のガス事業者に対して広域的に配送することが必要である。
【００１１】
そのためには、次の事項をリアルタイムで把握する必要がある。
【００１２】
（１）需要量変化と配送の仕組み
（２）交通渋滞と配送の仕組み
（３）需要側の運転状況把握とメンテナンス
（４）ＮＧＨ基地内のＮＧＨ製造量等の予測
従って、人手による運用は艱難であり、データ通信機能とコンピュータによる運用が不可欠である。
【課題を解決するための手段】
【００１３】
上記の課題を達成するために、本発明は、次のように形成されている。
【００１４】
請求項１に記載の発明は、ガスハイドレートの貯槽又は製造プラントと、顧客網と、配送業者網と、中央制御監視センタとを備えたガスハイドレート供給システムであって、
（ａ）前記中央制御監視センタは、前記ガスハイドレートの貯槽又は製造プラントとオンラインで接続してガスハイドレートの貯蔵又は製造状況を把握すると共に、前記顧客網とオンラインで接続して顧客のガスハイドレート需要状況を把握し、更に、前記配送業者網とオンラインで接続して配送業者の空車状況を把握し、
その上、顧客の要望に対して最も効率的で、かつ、円滑に配送し得る配送ルート等を演算し、その演算結果をガスハイドレートの貯槽又は製造プラント、顧客および配送業者にオンラインで連絡し、
（ｂ）前記ガスハイドレートの貯槽又は製造プラントおよび配送業者は、前記中央制御監視センタの指示に従って注文通りのガスハイドレートを顧客に配送することを特徴とするガスハイドレート供給システムである。
【００１５】
請求項２に記載の発明は、ガスハイドレート製造が需要に追いつかず、供給不可の場合には、別のガスハイドレート製造プラントへアクセスし、供給可能日時を顧客へ通知する請求項１記載のガスハイドレート供給システムである。
【００１６】
請求項３に記載の発明は、配送業者の空車状況を中央制御監視センタにリアルタイムで取り込み、常時、配送業者の空車状況を把握する請求項１記載のガスハイドレート供給システムである。
【００１７】
請求項４に記載の発明は、中央制御監視センタにて、配送業者の空車状況を確認し、空車有りの場合は、配送車をスケジュールに登録し、空車無しの場合は、別の配送業者へアクセスする請求項１記載のガスハイドレート供給システムである。
【００１８】
請求項５に記載の発明は、ガスハイドレートの再ガス化時に生ずる生成水の余剰量を、顧客の端末機により中央制御監視センタに入力する請求項１記載のガスハイドレート供給システムである。
【発明の効果】
【００１９】
上記のように、本発明のガスハイドレート供給システムは、ガスハイドレートの貯槽又は製造プラントと、顧客網と、配送業者網と、中央制御監視センタとを備えたガスハイドレート供給システムであって、
（ａ）前記中央制御監視センタは、前記ガスハイドレートの貯槽又は製造プラントとオンラインで接続してガスハイドレートの貯蔵又は製造状況を把握すると共に、前記顧客網とオンラインで接続して顧客のガスハイドレート需要状況を把握し、更に、前記配送業者網とオンラインで接続して配送業者の空車状況を把握し、
その上、顧客の要望に対して最も効率的で、かつ、円滑に配送し得る配送ルート等を演算し、その演算結果をガスハイドレートの貯槽又は製造プラント、顧客および配送業者にオンラインで連絡し、
（ｂ）前記ガスハイドレートの貯槽又は製造プラントおよび配送業者は、前記中央制御監視センタの指示に従って注文通りのガスハイドレートを顧客に配送するため、中央制御監視センタにて、ガスハイドレートの貯槽又は製造プラントのおけるガスハイドレートの貯蔵又は製造状況、顧客のガスハイドレート需要状況、配送業者の配送車の配送状況をリアルタイムで把握することが可能となり、ガスハイドレートの供給を円滑に行うことが可能となる。
【発明を実施するための最良の形態】
【００２０】
以下、本発明の実施の形態を図面を用いて説明する。
【００２１】
図１は、本発明に係るガスハイドレート供給システムの概略構成図である。
【００２２】
図１に示すように、本発明のガスハイドレート供給システムは、中央制御監視センタ１、ガスハイドレート製造プラント（以下、ＮＧＨ製造プラントという。）２、顧客ネット３および配送業者ネット４により構成されている。
【００２３】
なお、所望により、ＮＧＨ製造プラントの代わりにガスハイドレート貯槽（以下、ＮＧＨ貯槽という。）を適用することも可能である。
【００２４】
この中央制御監視センタ１は、ＮＧＨ需要量監視装置１１、メインサーバ１２、顧客データベース記憶装置１３、運送手段データベース記憶装置１４および配送ルートデータベース記憶装置１４を備えており、ＮＧＨ製造プラント２、顧客ネット３および配送業者ネット４へ、それぞれ、オンラインで接続している。
【００２５】
顧客ネット３には、複数の顧客の端末機３１および通信網３２が設けられ、配送業者ネット４には、複数の配送業者の端末機４１および通信網４２が設けられている。図１中、符合ａ，ｂ，ｃ，ｄ，ｅ，ｆは、信号媒体、Ａ，Ｂ，Ｃは、配送車の配送ルートを示している。
【００２６】
図２は、注文システムブロックフロー図であり、顧客の端末機３１とメインサーバ１２間で、次のような処理を行うようになっている。
【００２７】
先ず、顧客の端末機３１からメインサーバ１２の「ホームページ」に接続すると（ｓ１）、メインサーバ１２は、その接続を確認し、「パスワード」を要求する（ｓ２）。
【００２８】
そこで、顧客は、メインサーバ１２の要求にしたがって「パスワード」を入力する（ｓ３）。顧客が「パスワード」を入力すると、メインサーバ１２は、「注文依頼書」のフォーマットを表示する（ｓ４）。
【００２９】
従って、顧客は、この「注文依頼書」に注文事項を入力する（ｓ５）。続いて、メインサーバ１２は、受信確認を表示し、登録する（ｓ６）。その後、メインサーバ１２は、配送決定処理（ｓ７）および最終確認依頼（ｓ８）を行う。
【００３０】
最終確認依頼を受けた顧客は、訂正の有無（ｓ９）を判断し、訂正が有る場合には、「注文依頼書」の誤りを訂正し（ｓ５）、訂正が無い場合には、「承諾メッセージ」をメインサーバ１２に送信する（ｓ１０）。そして、終了（ｓ１１）となる。
【００３１】
図３は、配送車両手配システムブロックフロー図であり、配送業者の端末機４１とメインサーバ１２間で、次のような処理を行うようになっている。
【００３２】
先ず、メインサーバ１２にて受注確認し、登録する（ｔ１）。続いて、配送決定処理し、配送業者末端４１に配送車の手配を依頼する（ｔ２）。
【００３３】
配送業者末端４１は、配送車手配依頼を受信した後（ｔ３）、空車の有無を判断する（ｔ４）。空車が無い場合には、メインサーバ１２に別業者への配送車手配依頼を送信する（ｔ５）。そこで、メインサーバ１２は、別業者へ配送車の手配を依頼する（ｔ２）。空車が有る場合には、配送業者は、末端機４１より承諾メッセージをメインサーバ１２に送信し（ｔ６）、終了する（ｔ７）。
【００３４】
図４は、ガスハイドレート配送決定処理ブロックフロー図であり、次のような処理を行っている。
【００３５】
先ず、中央制御監視センタ１をスタートさせ（ｎ１）、注文書の受信を確認する（ｎ２）。続いて、配送日時指定の有無を判断する（ｎ３）。
【００３６】
配送日時の指定が無い場合（ＮＯ）には、ＮＧＨ製造プラントＡ（２）の製造スケジュールに登録し（ｎ４）、配送日時の指定が有る場合（ＹＥＳ）には、ＮＧＨ製造プラントＡ（２）の対応の可否を判断する（ｎ５）。
【００３７】
ＮＧＨ製造プラントＡ（２）の対応が可能（ＹＥＳ）の場合には、配送日時を決定し（ｎ６）、ＮＧＨ製造プラントＡ（２）の対応が不能（ＮＯ）の場合には、別のＮＧＨ製造プラントＢ（２）の対応の可否を判断する（ｎ７）。
【００３８】
ＮＧＨ製造プラントＢ（２）の対応が可能（ＹＥＳ）の場合には、配送日時を決定し（ｎ６）、ＮＧＨ製造プラントＢ（２）の対応が不能（ＮＯ）の場合には、配送可能日時を決定する（ｎ８）。
【００３９】
続いて、顧客保有の余剰生成水量を確認する（ｎ９）。顧客保有の余剰生成水量が有る場合には、ＮＧＨ製造プラントＡ（２）への受入れを設定し（ｎ１０）、顧客保有の余剰生成水量が無い場合には、顧客への回答を行う（ｎ１１）。
【００４０】
続いて、顧客の承諾を打診する（ｎ１２）。顧客の承諾が無い場合（ＮＯ）には、再度、注文書受信確認を行い（ｎ２）、顧客の承諾が得られた場合（ＹＥＳ）には、ＮＧＨ配送スケジュール・配送車両を設定する（ｎ１３）。
【００４１】
続いて、配送ルートを設定する（ｎ１４）。次に、交通情報を参照する（ｎ１５）。例えば、配送スケジュールのルートが渋滞している場合、または、選定した配送ルートに対し、配送車が不適切であった場合（ＮＯ）には、再度、ＮＧＨ配送スケジュール・配送車両を設定し（ｎ１３）、配送スケジュールのルートが渋滞していない場合（ＹＥＳ）には、配送スケジュールを決定する（ｎ１６）。そして、終了となる（ｎ１７）。
【００４２】
尚、この配送作業は、通信衛星などを利用して配送車の状況を把握することにより、一層効率化を図ることができる。
【図面の簡単な説明】
【００４３】
【図１】本発明に係るガスハイドレート供給システムの概略構成図である。
【図２】注文システムブロックフロー図である。
【図３】配送車両手配システムブロックフロー図である。
【図４】ガスハイドレート配送決定処理ブロックフロー図である。
【符号の説明】
【００４４】
１  中央制御監視センタ
２  ガスハイドレートの貯槽又は製造プラント
３  顧客網
４  配送業者網
Ａ〜Ｃ  配送ルート
【図１】
2005242415.tif 000003
【図２】
2005242415.tif 000004
【図３】
2005242415.tif 000005
【図４】
2005242415.tif 000006